(57)【要約】【課題】装飾紙の位置ずれを抑制できる飾り鏡餅容器および敷紙を模した装飾紙を提供すること。【解決手段】飾り鏡餅容器１は、鏡餅を模した外形形状を有する容器２と、容器２に嵌められ、容器２上に載置される象形体３を覆うカバー４と、容器２の下部が通る開口部５１１を有する装飾紙本体５１、および装飾紙本体５１から上方に延びてカバー４と容器２との間に挟み込まれる爪部５２を有する装飾紙５と、を備える。飾り鏡餅容器１では、爪部５２がカバー４と容器２との間に挟み込まれるので、装飾紙５の位置ずれを抑制できる。【選択図】図８
0003203077.tif 000002
【実用新案登録請求の範囲】
【請求項１】
鏡餅を模した外形形状を有する容器と、
前記容器に嵌められ、前記容器上に載置される象形体を覆うカバーと、
敷紙を模した装飾紙であって、前記容器の下部が通る開口部を有する装飾紙本体、および前記装飾紙本体から上方に延びて前記カバーと前記容器との間に挟み込まれる爪部を有する装飾紙と、
を備えることを特徴とする飾り鏡餅容器。
【請求項２】
鏡餅を模した外形形状を有し、下端縁からリング状の鍔部が外方に延びる容器と、
前記容器に嵌められ、前記容器上に載置される象形体を覆うカバーであって、下端縁からリング状の取手部が外方に延びるカバーと、
敷紙を模した装飾紙であって、前記容器の下部が通る開口部を有して前記鍔部に支持される装飾紙本体、および前記装飾紙本体から上方に延びて先端部が前記取手部に突き当てられる爪部を有する装飾紙と、
を備えることを特徴とする飾り鏡餅容器。
【請求項３】
請求項１または請求項２に記載の飾り鏡餅容器において、
前記爪部は、前記開口部の縁から上方に向かって延びている
ことを特徴とする飾り鏡餅容器。
【請求項４】
請求項３に記載の飾り鏡餅容器において、
前記爪部は一対設けられており、前記一対の爪部は、前記縁における互いに対向する位置に設けられている
ことを特徴とする飾り鏡餅容器。
【請求項５】
請求項１に記載の飾り鏡餅容器において、
前記容器は、容器上段部及び容器下段部からなり、下段の餅の上に該餅よりも小さい餅が重ねられた外形形状を有し、
前記カバーは、前記容器上段部に嵌められ、
前記爪部の先端部は、前記カバーと前記容器上段部との間に挟み込まれる
ことを特徴とする飾り鏡餅容器。
【請求項６】
請求項１から請求項５のいずれかに記載の飾り鏡餅容器において、
前記容器の壁部は、前記開口部の縁の直上を避けた位置に形成されていることを特徴とする飾り鏡餅容器。
【請求項７】
鏡餅を模した外形形状を有する容器と、前記容器に嵌められ、前記容器上に載置される象形体を覆うカバーと、を備える飾り鏡餅容器に取り付けられる敷紙を模した装飾紙であって、
前記容器の下部が通る開口部を有する装飾紙本体と、
前記装飾紙本体に繋がり、前記カバーと前記容器との間に挟み込まれる爪部と、を備えることを特徴とする装飾紙。
【請求項８】
鏡餅を模した外形形状を有し、下端縁からリング状の鍔部が外方に延びる容器と、前記容器に嵌められ、前記容器上に載置される象形体を覆うカバーであって、下端縁からリング状の取手部が外方に延びるカバーと、を備える飾り鏡餅容器に取り付けられる敷紙を模した装飾紙であって、
前記容器の下部が通る開口部を有して前記鍔部に支持される装飾紙本体と、
前記装飾紙本体に繋がり、先端部が前記取手部に突き当てられる爪部と、
を備えることを特徴とする装飾紙。
【請求項９】
請求項７または請求項８に記載の装飾紙において、
前記爪部は、前記開口部の縁から延び、前記縁で折り曲げられる
ことを特徴とする装飾紙。
【考案の詳細な説明】
【技術分野】
【０００１】
本考案は、飾り鏡餅容器、および飾り鏡餅容器に取り付けられる敷紙を模した装飾紙に関する。
【背景技術】
【０００２】
日本の伝統として、お正月には、平たい円形の餅が大小２段に重ねられた鏡餅が家庭や店舗で飾られる。近年、大小２段に餅が重ねられた外形形状を有する容器内に餅が収容され、この容器の上に象形体が載置された正月用飾り鏡餅が販売される。
【０００３】
図１は、従来の正月用飾り鏡餅１００Ａにおける飾り鏡餅容器１Ａを示す斜視図である。
飾り鏡餅容器１Ａは、大小２段に餅が重ねられた外形形状の容器２を備える。容器２は中空形状であり、底面に開口部２２１を備える。開口部２２１を介して容器２の内部に餅が充填された後、あるいは小分けされた切餅または丸餅が入れられた後、開口部２２１はシール等で塞がれる。消費者は、正月用飾り鏡餅１００Ａを正月に飾った後、容器２から餅を取り出して食べることができる。
【０００４】
容器２の天面部２１１には、飾り鏡餅容器１Ａの見栄えが良くなるように、縁起ものとして干支動物等の象形体３が置かれる。象形体３は、容器上段部２１に嵌められる透明なカバー４内に収容される。
【０００５】
容器２の下端縁からは、外方に向かって突出する鍔部２３がリング状に形成される。容器下段部２２の下端部において、鍔部２３との接続部分には、容器２の周方向に亘って１条の浅い溝部２２２が形成される。この溝部２２２は、容器下段部２２の壁面をＲ状にする際に自然に形成される。
【０００６】
正月用飾り鏡餅１００Ａは、三方の上に敷かれた四方紅（赤い縁取りがある白地の敷紙）上に置かれて飾られることがあるが、図２に示すように、容器２に敷紙を模した装飾紙５が取り付けられて、載置場所に直接飾られることもある。
【０００７】
装飾紙５は、開口部５１１を有する。開口部５１１の縁には複数の爪部５２Ａがある。装飾紙５は、鍔部２３に支持されるとともに、爪部５２Ａが溝部２２２に嵌め込まれることにより、容器２の所定位置に位置決めされる。
【先行技術文献】
【特許文献】
【０００８】
【特許文献１】特開２０１３−１７３５４５号公報
【考案の概要】
【考案が解決しようとする課題】
【０００９】
従来の飾り鏡餅容器は、ポリプロピレン製であり、溝部の形成が可能である。
しかしながら、重量の軽減や、廃棄時の容量の軽減を図るために、発泡ポリスチレン製の飾り鏡餅容器が開発されている。発泡ポリスチレン製の飾り鏡餅容器では、溝部の形成が難しい。溝部が無い飾り鏡餅容器に従来の装飾紙を取り付ける場合、爪部を溝部に嵌め込むことができないので、単に装飾紙が飾り鏡餅容器に嵌められることとなる。そのため、この場合、装飾紙の位置ずれが生じ易いという問題がある。
【００１０】
本考案は、装飾紙の位置ずれを抑制できる飾り鏡餅容器および敷紙を模した装飾紙を提供することを目的とする。
【課題を解決するための手段】
【００１１】
本考案の飾り鏡餅容器は、鏡餅を模した外形形状を有する容器と、前記容器に嵌められ、前記容器上に載置される象形体を覆うカバーと、敷紙を模した装飾紙であって、前記容器の下部が通る開口部を有する装飾紙本体、および前記装飾紙本体から上方に延びて前記カバーと前記容器との間に挟み込まれる爪部を有する装飾紙と、を備えることを特徴とする。
【００１２】
本考案の装飾紙は、鏡餅を模した外形形状を有する容器と、前記容器に嵌められ、前記容器上に載置される象形体を覆うカバーと、を備える飾り鏡餅容器に取り付けられる敷紙を模した装飾紙であって、前記容器の下部が通る開口部を有する装飾紙本体と、前記装飾紙本体に繋がり、前記カバーと前記容器との間に挟み込まれる爪部と、を備えることを特徴とする。
【００１３】
上記の本考案によれば、爪部がカバーと容器との間に挟み込まれるので、装飾紙の位置ずれを抑制できる。
【００１４】
本考案の飾り鏡餅容器は、鏡餅を模した外形形状を有し、下端縁からリング状の鍔部が外方に延びる容器と、前記容器に嵌められ、前記容器上に載置される象形体を覆うカバーであって、下端縁からリング状の取手部が外方に延びるカバーと、敷紙を模した装飾紙であって、前記容器の下部が通る開口部を有して前記鍔部に支持される装飾紙本体、および前記装飾紙本体から上方に延びて先端部が前記取手部に突き当てられる爪部を有する装飾紙と、を備えることを特徴とする。
【００１５】
本考案の装飾紙は、鏡餅を模した外形形状を有し、下端縁からリング状の鍔部が外方に延びる容器と、前記容器に嵌められ、前記容器上に載置される象形体を覆うカバーであって、下端縁からリング状の取手部が外方に延びるカバーと、を備える飾り鏡餅容器に取り付けられる敷紙を模した装飾紙であって、前記容器の下部が通る開口部を有して前記鍔部に支持される装飾紙本体と、前記装飾紙本体に繋がり、先端部が前記取手部に突き当てられる爪部と、を備えることを特徴とする。
【００１６】
上記の本考案によれば、装飾紙は、鍔部で支持されるとともに、爪部の先端部が取手部に突き当てられ、上下方向から抑えられる。そのため、本考案では、装飾紙の位置ずれを抑制できる。
【００１７】
本考案では、前記爪部は、前記開口部の縁から上方に向かって延びてもよい。
本考案によれば、装飾紙をくり抜くことで簡単に開口部および爪部を形成できる。
【００１８】
本考案では、前記爪部は一対設けられており、前記一対の爪部は、前記縁における互いに対向する位置に設けられてもよい。
本考案によれば、一対の爪部によって、容器を挟んだ２点で装飾紙を連結できるので、装飾紙が容器から外れることを十分に抑制できる。
【００１９】
本考案では、前記容器は、容器上段部及び容器下段部からなり、下段の餅の上に該餅よりも小さい餅が重ねられた外形形状を有し、前記カバーは、前記容器上段部に嵌められ、前記爪部の先端部は、前記カバーと前記容器上段部との間に挟み込まれていてもよい。
【００２０】
本考案によれば、容器が大小の餅が２段に重ねられた外形形状を有する場合であっても、爪部の先端部が容器上段部とカバーとの間に挟み込まれるので、装飾紙が容器から外れることを抑制できる。
【００２１】
本考案では、前記容器の壁部は、前記開口部の縁の直上を避けた位置に形成してもよい。  
【００２２】
背景技術で説明したように、従来の容器の下部と鍔部との間には、装飾紙の爪部を嵌め込むための１条の浅い溝部があった。本考案によれば、該溝部を利用しないで装飾紙の位置ずれを抑制するので、該溝部を不要にできる。従って、本考案は、容器形状の自由度、および容器の材質の自由度を高めることができる。例えば、容器の材質を発泡ポリスチレン製にすることで、重量を軽減できるとともに、廃棄時の容量を軽減できる。
【００２３】
本考案の装飾紙では、前記爪部は、前記開口部の縁から延び、前記縁で折り曲げられてもよい。
本考案によれば、装飾紙をくり抜くことで簡単に開口部および爪部を形成できる。
【図面の簡単な説明】
【００２４】
【図１】従来の正月用飾り鏡餅容器を示す斜視図である。
【図２】従来の装飾紙が容器に取り付けられた状態を示す斜視図である。
【図３】正月用飾り鏡餅における飾り鏡餅容器を示す斜視図である。
【図４】容器を示す斜視図である。
【図５】容器の側面下部と鍔部との接続部分を示す拡大断面図である。
【図６】爪部が折り曲げられていない状態の装飾紙の平面図である。
【図７】爪部が折り曲げられた状態の装飾紙を示す斜視図である。
【図８】爪部がカバーと容器との間に挟み込まれた状態を示す斜視図である。
【図９】取手部に突き当てられる爪部を示す断面図である。
【考案を実施するための形態】
【００２５】
以下、実施形態について図面を参照しつつ説明する。
（第１実施形態）
図３は、正月用飾り鏡餅１００における飾り鏡餅容器１を示す斜視図である。
飾り鏡餅容器１は、容器２、象形体３、カバー４、および装飾紙５を備える。
【００２６】
図４は、容器２を示す斜視図である。
容器２は、発泡ポリスチレン製であり、平たい円形の餅の上に該餅より小さい平たい円形の餅が重ねられた外形形状を有する。つまり、容器２は、鏡餅を模した外形形状を有する。容器２は、中空形状であり、底面２３１に開口部２２１を有する。
【００２７】
容器２は、カバー４が嵌められる容器上段部２１と、容器上段部２１の下端と繋がり、容器上段部２１との接続部分に容器２の周方向に亘ってくびれ部２４が形成される容器下段部２２と、鍔部２３とを有する。容器上段部２１は上段の餅に相当し、容器下段部２２は下段の餅に相当する。容器上段部２１および容器下段部２２は、共に平面視で円形である。容器下段部２２の方が容器上段部２１よりも高さがある。ただし、容器上段部２１の高さ寸法を容器下段部２２の高さ寸法よりも大きくしてもよい。
【００２８】
鍔部２３は、容器下段部２２の下端縁から、容器２の中心軸に対して径方向外側（外方）に延び、リング状である。
【００２９】
容器２の内部には餅が充填される、あるいは小分けされた切餅または丸餅が入れられる。鍔部２３（容器２）の底面２３１には、取り剥がし可能なシールが貼られる。シールにより開口部２２１が塞がれ、容器２に収容された餅が外部から封止される。
【００３０】
図３に戻り、容器上段部２１の天面部２１１には、干支動物である象形体３が置かれる。象形体３は、橙であってもよいし、達磨、七福人、熊手などを模したマスコットであってもよい。
【００３１】
カバー４は、樹脂製であり、透明である。カバー４は、収容部４１と、嵌合部４２と、取手部４３とを備える。
収容部４１は、ドーム状であり、象形体３を収容する。
【００３２】
嵌合部４２は、収容部４１の下端に繋がり、容器上段部２１の側壁部２１２（図４）に沿った形状である。嵌合部４２は、容器上段部２１に嵌められる。嵌合部４２は、容器上段部２１に嵌められた際にくびれ部２４（図４）を覆う位置まで下方に延びる。
【００３３】
取手部４３は、容器上段部２１の下端縁と略同一の高さ位置に形成されており、カバー４の中心軸に対して径方向外側（外方）に延び、リング状である。カバー４を容器２から外す際に、使用者は、指を引っ掛ける部位として取手部４３を利用できる。
【００３４】
図６は、爪部５２が折り曲げられていない状態の装飾紙５の平面図である。
装飾紙５は、敷紙を模した、外形が正方形の厚紙である。装飾紙５は、装飾紙本体５１と、一対の爪部５２とを有する。装飾紙本体５１は、容器下段部２２が通る開口部５１１を中央部に有する。
【００３５】
一対の爪部５２は、開口部５１１の縁において対向する位置から互いに開口部５１１の中心に向かって直線状に延びる。爪部５２は、装飾紙５を容器２に取り付ける際に、図７に示すように、開口部５１１の縁で上方に折り曲げられる。
【００３６】
容器下段部２２と鍔部２３とは、下方に進むに従って拡開する拡開部２５（図５）を介して繋がっている。この拡開部２５は、水平方向において、装飾紙本体５１の開口部５１１と向き合っている。つまり、本実施形態では、容器２の壁部は、開口部５１１の縁の直上を避けた、より径方向内側の領域に形成されており、容器２の下端部において鍔部２３との接続部分には溝部（図１の溝部２２２）が形成されていない。
【００３７】
図８は、爪部５２がカバー４と容器２との間に挟み込まれた状態を示す斜視図である。
以下、図８及び図３を参照して装飾紙５の容器２への取付方法を説明する。まず、容器２に象形体３を載せ、容器２にカバー４を嵌める。次に、装飾紙５の爪部５２を、開口部５１１の縁で上方に折り曲げる。続いて、装飾紙５の開口部５１１内に容器２を通す。続いて、装飾紙５を、容器２の鍔部２３に当接するまで容器２の下端側に移動させる。
【００３８】
そして、各爪部５２の先端をカバー４と容器上段部２１との間に差し込む。この際、各爪部５２は、装飾紙本体５１から容器下段部２２の側壁部２２３に沿ってくびれ部２４を超えて上方に延び、先端部がカバー４と容器上段部２１との間に挟み込まれた状態となる。このようにして、装飾紙５が容器２に取り付けられる。
【００３９】
（本実施形態の効果）
本実施形態では、爪部５２がカバー４と容器２との間に挟み込まれるので、装飾紙５の位置ずれを抑制できる。
【００４０】
本実施形態では、爪部５２が、容器上段部２１と容器下段部２２との接続部分にあるくびれ部２４まで延びている。従って、爪部５２に印字しておくことで、爪部５２を例えばのしとして利用できる。この際、爪部５２の直線上に象形体３の正面が来るように爪部５２の位置を調整する（図８の位置の爪部５２の直線上に象形体３の正面が来るようにする）。そして、カバー４に不図示の水引を嵌め、水引を取手部４３上に載せて水引の正面位置を爪部５２上にすることで、飾り鏡餅容器１の見栄えを良好にできる。
【００４１】
本実施形態では、爪部５２が開口部５１１の縁から延びるので、装飾紙５をくり抜くことで簡単に開口部５１１および爪部５２を形成できる。
【００４２】
本実施形態では、爪部５２が容器２を挟んで対向するので、容器２を挟んだ２点で装飾紙５を容器２に固定でき、装飾紙５の位置ずれをより抑制できる。
【００４３】
（第２実施形態）
図９は、取手部４３に突き当てられる爪部５２Ｂを示す断面図である。
本実施形態では、爪部５２Ｂの先端部がカバー４の取手部４３に下方から突き当てられる。本実施形態の飾り鏡餅容器１Ｂの他の構成は前記実施形態と同様である。
【００４４】
本実施形態では、装飾紙５は、鍔部２３で支持されるとともに、爪部５２Ｂの先端部が取手部４３に突き当てられ、上下方向から抑えられる。そのため、本実施形態でも、装飾紙５の位置ずれを抑制できる。
【００４５】
（変形例）
爪部５２，５２Ｂの数は、２つでなくてもよく、１つでも３つ以上でもよい。
爪部５２，５２Ｂは、開口部５１１の縁において対向しなくてもよい。
【００４６】
爪部は、開口部５１１の縁から延びていなくてもよく、例えば装飾紙本体５１の外縁から外方に延びていてもよい。この場合、爪部を上方に折り曲げたり、爪部を一端開口部５１１側に１８０°折り曲げた後、開口部５１１の縁に対応する部分で上方に折り曲げたりすることで、爪部をカバー４と容器２との間に挟み込むことができる。
【００４７】
容器２は、餅が２段に重ねられた外形形状を有していなくてもよく、餅が３段に重ねられた外形形状を有していてもよい。
容器２の材料は、発泡ポリスチレンでなくてもよく、ポリプロピレンなどの適宜の材料であってもよい。容器２は、背景技術で説明した溝部を有する従来品であってもよい。  
【００４８】
カバー４は、容器下段部２２の上下方向における中央部や、鍔部２３の近くまで延びていてもよい。カバー４の下端は、くびれ部２４より上方に位置してもよい。
【符号の説明】
【００４９】
１、１Ｂ：飾り鏡餅容器
２：容器
３：象形体
４：カバー
５：装飾紙
２３：鍔部
２５：拡開部
５１：装飾紙本体
５２、５２Ｂ：爪部
５１１：開口部
【図１】
0003203077.tif 000003
【図２】
0003203077.tif 000004
【図３】
0003203077.tif 000005
【図４】
0003203077.tif 000006
【図５】
0003203077.tif 000007
【図６】
0003203077.tif 000008
【図７】
0003203077.tif 000009
【図８】
0003203077.tif 000010
【図９】
0003203077.tif 000011